(57)【要約】  本願は、ＷＯＬＥＤ表示装置の補色方法、ＷＯＬＥＤ表示装置を開示し、前記方法は、少なくとも２つの目標出力輝度を確定することと、少なくとも２つの目標出力輝度をそれぞれ利用してＷＯＬＥＤ表示装置を実測調整し、予定使用データを取得することと、予定使用データに基づいて、ＷＯＬＥＤ表示装置の出力輝度とＲ、Ｇ、Ｂ、Ｗサブ画素補色輝度との関連関係を生成することと、関連関係に基づいてＷＯＬＥＤ表示装置を補色することとを含み、実測調整することは、ＷＯＬＥＤ表示装置の出力輝度を目標出力輝度に設定し、Ｒ、Ｇ、Ｂ、Ｗサブ画素出力輝度を調整してＷＯＬＥＤ表示装置の出力色座標が所定の色座標に達し、この時のＲ、Ｇ、Ｂ、Ｗサブ画素出力輝度をＲ、Ｇ、Ｂ、Ｗサブ画素補色輝度として記録することを含み、予定使用データは、少なくとも２つの目標出力輝度及びそれぞれ対応するＲ、Ｇ、Ｂ、Ｗサブ画素補色輝度を含む。本願は、ＷＯＬＥＤ表示装置の補色の正確性を向上させ、表示効果を改善することができる。
2020532147.tif 000002
【特許請求の範囲】
【請求項１】
少なくとも２つの目標出力輝度を確定することと、
少なくとも２つの前記目標出力輝度をそれぞれ利用してＷＯＬＥＤ表示装置を実測調整し、予定使用データを取得することと、
前記予定使用データに基づいて、前記ＷＯＬＥＤ表示装置の出力輝度とＲ、Ｇ、Ｂ、Ｗサブ画素補色輝度との関連関係を取得することと、
前記関連関係に基づいて、前記ＷＯＬＥＤ表示装置を補色するための補色データを取得することとを含み、
前記実測調整することは、前記ＷＯＬＥＤ表示装置の出力輝度を前記目標出力輝度に設定し、Ｒ、Ｇ、Ｂ、Ｗサブ画素出力輝度を調整して前記ＷＯＬＥＤ表示装置の出力色座標が所定の色座標に達し、この時のＲ、Ｇ、Ｂ、Ｗサブ画素出力輝度をＲ、Ｇ、Ｂ、Ｗサブ画素補色輝度として取得することを含み、
前記予定使用データは、少なくとも２つの前記目標出力輝度及びそれぞれ対応する前記Ｒ、Ｇ、Ｂ、Ｗサブ画素補色輝度を含む
ことを特徴とするＷＯＬＥＤ表示パネルの表示制御方法。
【請求項２】
前記補色データを利用して前記ＷＯＬＥＤ表示装置を補色することをさらに含む
ことを特徴とする請求項１に記載のＷＯＬＥＤ表示パネルの表示制御方法。
【請求項３】
前記ＷＯＬＥＤ表示装置のある出力輝度でのＲ、Ｇ、Ｂ、Ｗサブ画素計算色座標を取得することと、
前記Ｒ、Ｇ、Ｂ、Ｗサブ画素計算色座標に基づいて、Ｒ、Ｇ、Ｂ、Ｗサブ画素初期補色割合を算出することと、
前記Ｒ、Ｇ、Ｂ、Ｗサブ画素初期補色割合に基づいて、前記ＷＯＬＥＤ表示装置を補色するための補色データを取得することとをさらに含む
ことを特徴とする請求項１に記載のＷＯＬＥＤ表示パネルの表示制御方法。
【請求項４】
前記Ｒ、Ｇ、Ｂ、Ｗサブ画素初期補色割合に基づいて、前記ＷＯＬＥＤ表示装置を補色するための補色データを取得することは、
前記表示装置のＷ出力輝度を確定し、前記表示装置のＷ出力輝度に前記Ｒ、Ｇ、Ｂ、Ｗサブ画素初期補色割合を乗算してＲ、Ｇ、Ｂ、Ｗサブ画素初期補色輝度を取得し、Ｒ、Ｇ、Ｂ、Ｗサブ画素出力輝度を前記Ｒ、Ｇ、Ｂ、Ｗサブ画素初期補色輝度に調整することを含む
ことを特徴とする請求項３に記載のＷＯＬＥＤ表示パネルの表示制御方法。
【請求項５】
前記関連関係に基づいて、前記ＷＯＬＥＤ表示装置を補色するための補色データを取得することは、
前記表示装置の出力輝度を確定することと、
前記関連関係に基づいて、前記表示装置の出力輝度に対応するＲ、Ｇ、Ｂ、Ｗサブ画素補色輝度を確定することと、
Ｒ、Ｇ、Ｂ、Ｗサブ画素出力輝度を前記Ｒ、Ｇ、Ｂ、Ｗサブ画素補色輝度に調整することとを含む
ことを特徴とする請求項１〜３のいずれか１項に記載のＷＯＬＥＤ表示パネルの表示制御方法。
【請求項６】
前記少なくとも２つの目標出力輝度を確定することは、
所定の輝度間隔で少なくとも２つの輝度の値を前記目標出力輝度として連続して取得することを含む
ことを特徴とする請求項１〜３のいずれか１項に記載のＷＯＬＥＤ表示パネルの表示制御方法。
【請求項７】
前記所定の輝度間隔が１〜２０ニットである
ことを特徴とする請求項６に記載のＷＯＬＥＤ表示パネルの表示制御方法。
【請求項８】
前記所定の輝度間隔が１０ニットである
ことを特徴とする請求項７に記載のＷＯＬＥＤ表示パネルの表示制御方法。
【請求項９】
前記少なくとも２つの目標出力輝度を確定することは、
４０の前記目標出力輝度を確定することを含む
ことを特徴とする請求項８に記載のＷＯＬＥＤ表示パネルの表示制御方法。
【請求項１０】
前記ＷＯＬＥＤ表示装置の出力輝度を継続して増大することと、
Ｒ、Ｇ、Ｂ、Ｗサブ画素色座標を取得することと、
前記ＷＯＬＥＤ表示装置の出力輝度が増大してもＲ、Ｇ、Ｂ、Ｗサブ画素色座標が変更しない場合、前記Ｒ、Ｇ、Ｂ、Ｗサブ画素計算色座標を取得することとをさらに含む
ことを特徴とする請求項３に記載のＷＯＬＥＤ表示パネルの表示制御方法。
【請求項１１】
請求項１〜１０のいずれか１項に記載のＷＯＬＥＤ表示パネルの表示制御方法が応用されるＷＯＬＥＤ表示装置であって、
前記関連関係に基づいて、前記ＷＯＬＥＤ表示装置を補色するための補色データを取得するように構成される補色回路を含む
ことを特徴とするＷＯＬＥＤ表示装置。
【請求項１２】
前記補色回路が前記表示装置の部品のスクリーンドライバボードに集積される
ことを特徴とする請求項１１に記載のＷＯＬＥＤ表示装置。
【請求項１３】
前記補色回路が前記表示装置の部品のスクリーンドライバボードに接続される
ことを特徴とする請求項１１に記載のＷＯＬＥＤ表示装置。
【請求項１４】
プロセッサ及びコードメモリを含み、
コードメモリに記憶されたコンピュータ可読コードが前記プロセッサに実行される場合、前記プロセッサが請求項１〜１０のいずれか１項に記載の方法を実行する
ことを特徴とするＷＯＬＥＤ表示装置の表示制御装置。
【請求項１５】
前記関連関係が記憶されるメモリをさらに含む
ことを特徴とする請求項１４に記載のＷＯＬＥＤ表示装置の表示制御装置。
【請求項１６】
前記ＷＯＬＥＤ表示装置のドライバと通信して、前記関連関係を前記ドライバに出力する
ことを特徴とする請求項１４に記載のＷＯＬＥＤ表示装置の表示制御装置。
【発明の詳細な説明】
【技術分野】
【０００１】
本願は、２０１７年０８月２１日に出願された中国特許出願である第２０１７１０７１８２９２.６号の優先権を要求し、ここで上記の中国特許出願に開示された内容を本願の一部として引用する。
【０００２】
本願は、表示技術分野に関し、特に、ＷＯＬＥＤ表示装置の補色方法、ＷＯＬＥＤ表示装置に関する。
【背景技術】
【０００３】
ＷＯＬＥＤ表示装置において、赤色サブ画素（Ｒ）、緑色サブ画素（Ｇ）、青色サブ画素（Ｂ）及び白色サブ画素（Ｗ）からなる画素ユニットが含まれる。使用する際、上記のサブ画素の結合発光により白色が表示される。一般的に、ＷＯＬＥＤ表示装置は、実際発光した白色光の色座標が目標白色光の色座標から外れるため、Ｒ、Ｇ、Ｂのうちのいくつかを使用してＷとともに白色が表示し白色の色座標を補償する必要があり、即ち、ＷＯＬＥＤ表示装置の補色を行う。
【０００４】
なお、上記の技術分野に記載された内容は、本願の背景の理解を容易にするためのものであり、そして、当業者に既知ではない技術内容を含むことができる。
【発明の概要】
【課題を解決するための手段】
【０００５】
本願は、ＷＯＬＥＤ表示装置の補色方法を提供し、
少なくとも２つの目標出力輝度を確定することと、
少なくとも２つの前記目標出力輝度をそれぞれ利用してＷＯＬＥＤ表示装置を実測調整し、予定使用データを取得することと、
前記予定使用データに基づいて、前記ＷＯＬＥＤ表示装置の出力輝度とＲ、Ｇ、Ｂ、Ｗサブ画素補色輝度との関連関係を取得することと、
前記関連関係に基づいて、前記ＷＯＬＥＤ表示装置を補色するための補色データを取得することとを含み、
前記実測調整することは、前記ＷＯＬＥＤ表示装置の出力輝度を前記目標出力輝度に設定し、Ｒ、Ｇ、Ｂ、Ｗサブ画素出力輝度を調整して前記ＷＯＬＥＤ表示装置の出力色座標が所定の色座標に達し、この時のＲ、Ｇ、Ｂ、Ｗサブ画素出力輝度をＲ、Ｇ、Ｂ、Ｗサブ画素補色輝度として取得することを含み、
前記予定使用データは、少なくとも２つの前記目標出力輝度及びそれぞれ対応する前記Ｒ、Ｇ、Ｂ、Ｗサブ画素補色輝度を含む。
【０００６】
ある実施形態において、前記方法は、さらに、前記補色データを利用して前記ＷＯＬＥＤ表示装置を補色することをさらに含む。
【０００７】
ある実施形態において、前記方法は、さらに、
前記ＷＯＬＥＤ表示装置のある出力輝度でのＲ、Ｇ、Ｂ、Ｗサブ画素計算色座標を取得することと、
前記Ｒ、Ｇ、Ｂ、Ｗサブ画素計算色座標に基づいて、Ｒ、Ｇ、Ｂ、Ｗサブ画素初期補色割合を算出することと、
前記Ｒ、Ｇ、Ｂ、Ｗサブ画素初期補色割合に基づいて、前記ＷＯＬＥＤ表示装置を補色するための補色データを取得することとを含む。
【０００８】
ある実施形態において、前記Ｒ、Ｇ、Ｂ、Ｗサブ画素初期補色割合に基づいて、前記ＷＯＬＥＤ表示装置を補色することは、
前記表示装置のＷ出力輝度を確定し、前記表示装置のＷ出力輝度に前記Ｒ、Ｇ、Ｂ、Ｗサブ画素初期補色割合を乗算してＲ、Ｇ、Ｂ、Ｗサブ画素初期補色輝度を取得し、Ｒ、Ｇ、Ｂ、Ｗサブ画素出力輝度を前記Ｒ、Ｇ、Ｂ、Ｗサブ画素初期補色輝度に調整することを含む。
【０００９】
ある実施形態において、前記関連関係に基づいて、前記ＷＯＬＥＤ表示装置を補色するための補色データを取得することは、
前記表示装置の出力輝度を確定することと、
前記関連関係に基づいて、前記表示装置の出力輝度に対応するＲ、Ｇ、Ｂ、Ｗサブ画素補色輝度を確定することと、
Ｒ、Ｇ、Ｂ、Ｗサブ画素出力輝度を前記Ｒ、Ｇ、Ｂ、Ｗサブ画素補色輝度に調整することとを含む。
【００１０】
ある実施形態において、前記少なくとも２つの目標出力輝度を確定することは、
所定の輝度間隔で少なくとも２つの輝度の値を前記目標出力輝度として連続して取得することを含む。
【００１１】
ある実施形態において、前記所定の輝度間隔が１〜２０ニットである。
【００１２】
ある実施形態において、前記所定の輝度間隔が１０ニットである。
【００１３】
ある実施形態において、前記少なくとも２つの目標出力輝度を確定することは、
４０つの前記目標出力輝度を確定することを含む。
【００１４】
ある実施形態において、前記方法は、さらに、
前記ＷＯＬＥＤ表示装置の出力輝度を継続して増大することと、
Ｒ、Ｇ、Ｂ、Ｗサブ画素色座標を取得することと、
前記ＷＯＬＥＤ表示装置の出力輝度が増大してもＲ、Ｇ、Ｂ、Ｗサブ画素色座標が変更しない場合、前記Ｒ、Ｇ、Ｂ、Ｗサブ画素計算色座標を取得することとを含む。
【００１５】
また、本願は、以上の前記ＷＯＬＥＤ表示装置の補色方法が応用される表示装置を提供し、前記ＷＯＬＥＤ表示装置は、前記関連関係に基づいて前記ＷＯＬＥＤ表示装置を補色するための補色データを取得するように構成される補色回路を含む。
【００１６】
ある実施形態において、前記補色回路が前記表示装置の部品のスクリーンドライバボードに集積される。
【００１７】
ある実施形態において、前記補色回路が前記表示装置の部品のスクリーンドライバボードに接続される。
【００１８】
また、本願は、ＷＯＬＥＤ表示装置の表示制御装置を提供し、プロセッサ及びコードメモリを含み、コードメモリに記憶されたコンピュータ可読コードが前記プロセッサに実行される場合、前記プロセッサが上記の前記ＷＯＬＥＤ表示装置の補色方法を実行する。
【００１９】
ある実施形態において、表示制御装置は、前記関連関係が記憶されたメモリを含む。
【００２０】
ある実施形態において、表示制御装置は、前記ＷＯＬＥＤ表示装置のドライバと通信して、前記関連関係を前記ドライバに出力する。
【００２１】
なお、以上及び以下に記載されたものは、例示的又は解釈的なものであり、本願を限定するものではない。
【００２２】
ここで本願に記載された技術の実現又は説明は、開示される技術の全部範囲又は全ての特徴ではない。
【図面の簡単な説明】
【００２３】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【００２４】
【図１】本願の実施例におけるＷＯＬＥＤ表示装置の補色方法のフローチャートである。
【図２】本願の実施例における初期補色ステップのフローチャートである。
【発明を実施するための形態】
【００２５】
本願の目的、技術案及び利点を明確するために、以下、実施例及び図面を参照し、本願を説明する。
【００２６】
本願の実施例は、補色方法を改良するためにＷＯＬＥＤ表示装置の補色方法を提供する。ＷＯＬＥＤ表示装置の補色方法は、ある輝度でのＲ、Ｇ、Ｂ、Ｗサブ画素色座標（Ｒ、Ｇ、Ｂ、Ｗサブ画素色座標は、Ｒサブ画素色座標、Ｇサブ画素色座標、Ｂサブ画素色座標及びＷサブ画素色座標、即ち、４つのサブ画素の各色座標を意味し、勿論、以下に同じ又は同様の記載が以上の意味を表す）を測定し、比色学の混色式でＲ、Ｇ、Ｂ、Ｗサブ画素補色割合を算出し、次に、Ｗ出力輝度（Ｗサブ画素の出力輝度）を確定し、Ｗ出力輝度にＲ、Ｇ、Ｂ、Ｗサブ画素補色割合が乗算し、Ｒ、Ｇ、Ｂ、Ｗサブ画素補色輝度を取得し、ＷＯＬＥＤ表示装置の補色を実現する。上記の補色方法は、補色が正確でなく、表示効果を影響することがある。
【００２７】
図１を参照し、本願の実施例におけるＷＯＬＥＤ表示装置の補色方法のフローチャートである。
【００２８】
前記ＷＯＬＥＤ表示装置（例えば、ＷＯＬＥＤ表示パネル）の補色方法は、以下のステップを含む。
【００２９】
ステップ１０１において、少なくとも２つの目標出力輝度を確定する。
【００３０】
ステップにおいて、前記目標出力輝度は、ＷＯＬＥＤ表示装置が実際に操作する時に実現する可能な出力輝度である。以下のステップにおいて、目標出力輝度に対応する予定使用データに基づいてＷＯＬＥＤ表示装置の出力輝度とＲ、Ｇ、Ｂ、Ｗサブ画素補色輝度との関連関係を計算して生成するために、目標出力輝度の個数は、少なくとも２つである。
【００３１】
選択可能で、目標出力輝度を選択する時、所定の輝度間隔で少なくとも２つの輝度の値を目標出力輝度として連続して取得する。同じ間隔の少なくとも２つの目標出力輝度を選択する場合、データ選択が易くなり、以降の計算処理の正確度を向上させることができる。選定された所定の輝度間隔が小さいほど、以降の計算処理によって得た関連関係の正確性が高いことは明らかであるが、対応するデータ設定及び計算の処理量が大きくなる。そして、データ設定及び計算による処理量から、選択可能な実施例において、前記所定の輝度間隔を１〜２０ニット（ｎｉｔ）に設定し、ここで、選択可能な所定の輝度間隔の値が１０ニットであり、確定された全ての目標出力輝度の個数が４０である。上記の選択可能な所定の輝度間隔及び目標出力輝度の個数は、データ処理量が適当であり、以降の実測過程を容易、効率に実行し、且つ、計算処理の結果の正確性が高くなる。
【００３２】
勿論、他の実施例において、目標出力輝度を確定する場合、実際に応じて、異なる輝度間隔を利用して少なくとも２つの目標出力輝度を確定してもよい。
【００３３】
ステップ１０２において、少なくとも２つの前記目標出力輝度をそれぞれ利用して前記ＷＯＬＥＤ表示装置を実測調整し、予定使用データを取得する。
【００３４】
このステップにおいて、前記実測調整は、具体的に、前記ＷＯＬＥＤ表示装置の出力輝度を目標出力輝度に設定し、Ｒ、Ｇ、Ｂ、Ｗサブ画素出力輝度を調整して前記ＷＯＬＥＤ表示装置の出力色座標が所定の色座標に達し、この時のＲ、Ｇ、Ｂ、Ｗサブ画素出力輝度をＲ、Ｇ、Ｂ、Ｗサブ画素補色輝度として記録する。ここで、前記所定の色座標は、予め設定された、前記ＷＯＬＥＤ表示装置が実際に実現する可能な出力色座標（理想的な状態で、ＷＯＬＥＤ表示装置の出力輝度が変更しても当該所定の色座標が変更しない）である。確定された各前記目標出力輝度に対して上記の実測調整過程を行い、各目標出力輝度に対応するＲ、Ｇ、Ｂ、Ｗサブ画素補色輝度を記録する。
【００３５】
これに対応し、前記予定使用データは、少なくとも２つの前記目標出力輝度及びそれぞれ対応する前記Ｒ、Ｇ、Ｂ、Ｗサブ画素補色輝度を含む。
【００３６】
ステップ１０３において、前記予定使用データに基づいて、前記ＷＯＬＥＤ表示装置の出力輝度とＲ、Ｇ、Ｂ、Ｗサブ画素補色輝度との関連関係を生成する。
【００３７】
上記のステップによって予定使用データである少なくとも２つセットのペアデータ（目標出力輝度とＲ、Ｇ、Ｂ、Ｗサブ画素補色輝度との対応）を取得し、数値処理方法によって、連続しない少なくとも２つセットのペアデータに基づいて、当該ペアデータに対応する２つの量の間の連続する関連関係を取得する。このステップにおいて、予定使用データに基づいて、補間法又はフィッティング法で予定使用データに対して計算処理を行い、ＷＯＬＥＤ表示装置の出力輝度（予定使用データ内の目標出力輝度に対応する）とＲ、Ｇ、Ｂ、Ｗサブ画素補色輝度との関連関係を取得する。
【００３８】
ステップ１０４において、前記関連関係に基づいて、前記ＷＯＬＥＤ表示装置を補色する（即ち、表示制御を行う）。例えば、前記関連関係に基づいて前記ＷＯＬＥＤ表示装置を補色するための補色データを取得し、前記補色データを利用して前記ＷＯＬＥＤ表示装置を補色する。
【００３９】
このステップにおいて、上記のステップによって得た前記関連関係をＷＯＬＥＤ表示装置の実際表示過程に応用し、即ち、前記関連関係に基づいて、前記ＷＯＬＥＤ表示装置を補色する。具体的に、前記関連関係に基づいて補色することは、前記表示装置の出力輝度を確定し、前記関連関係に基づいて、前記表示装置の出力輝度に対応するＲ、Ｇ、Ｂ、Ｗサブ画素補色輝度を確定し、Ｒ、Ｇ、Ｂ、Ｗサブ画素出力輝度を前記Ｒ、Ｇ、Ｂ、Ｗサブ画素補色輝度に調整することを含む。
【００４０】
前記関連関係は、前記ＷＯＬＥＤ表示装置の予定使用データに基づいて計算されたものであるため、前記ＷＯＬＥＤ表示装置との一対一の対応関係である。つまり、各ＷＯＬＥＤ表示装置に対して、本願の実施例は、その専用の補色方法を提供する。本願の実施例における補色方法を利用してＷＯＬＥＤ表示装置を補色することで、補色の正確性を大幅に向上させ、ＷＯＬＥＤ表示装置の実際表示効果を有効に改善することができる。
【００４１】
いくつかの選択可能な実施例において、前記ＷＯＬＥＤ表示装置の補色方法は、さらに、初期補色ステップを含む。図２を参照し、本願の実施例における初期補色ステップのフローチャートである。
【００４２】
この実施例において、まず、前記初期補色ステップを実行し、即ち、前記の実施例において、ステップ１０１の前に前記初期補色ステップを実行する。
【００４３】
前記初期補色ステップは、以下のステップを含む。
【００４４】
ステップ２０１において、前記ＷＯＬＥＤ表示装置のある出力輝度でのＲ、Ｇ、Ｂ、Ｗサブ画素計算色座標を取得する。
【００４５】
このステップにおいて、前記ＷＯＬＥＤ表示装置を給電して正常表示過程を行い、ＷＯＬＥＤ表示装置の出力輝度をある出力輝度（当該出力輝度は、当業者が経験に応じて設定され）に調整してから、この時のＲ、Ｇ、Ｂ、Ｗサブ画素出力輝度を、Ｒ、Ｇ、Ｂ、Ｗサブ画素計算色座標として記録する。
【００４６】
選択可能で、Ｒ、Ｇ、Ｂ、Ｗサブ画素計算色座標を取得する時に、以下の実施形態を採用する。ＷＯＬＥＤ表示装置を給電して正常表示過程を行い、次に、ＷＯＬＥＤ表示装置の出力輝度を継続して増大する。上記の過程において、ＷＯＬＥＤ表示装置の出力輝度の増大に従って、Ｒ、Ｇ、Ｂ、Ｗサブ画素色座標も変更される。ＷＯＬＥＤ表示装置の製造プロセスにより、ＷＯＬＥＤ表示装置の出力輝度がある値に増大した時に、ＷＯＬＥＤ表示装置の出力輝度が増大してもＲ、Ｇ、Ｂ、Ｗの色座標が変更（又は明らかに変更）しなく、この時のＲ、Ｇ、Ｂ、Ｗサブ画素色座標が実際に動作する時に表示される色座標に近いため、この時のＲ、Ｇ、Ｂ、Ｗサブ画素色座標をＲ、Ｇ、Ｂ、Ｗサブ画素計算色座標として記録し、これによって、この実施例において初期補色ステップにより取得された補色割合の正確性を向上させることができる。
【００４７】
ステップ２０２において、前記Ｒ、Ｇ、Ｂ、Ｗサブ画素計算色座標に基づいて、Ｒ、Ｇ、Ｂ、Ｗサブ画素初期補色割合を算出する。
【００４８】
このステップにおいて、上記のステップによって取得されたＲ、Ｇ、Ｂ、Ｗサブ画素計算色座標に基づいて比色学の混色式で計算し、Ｒ、Ｇ、Ｂ、Ｗサブ画素初期補色割合を取得する。このステップにおいてＲ、Ｇ、Ｂ、Ｗサブ画素初期補色割合を算出する過程が従来の技術であり、その計算過程及び原理式はここで省略する。
【００４９】
ステップ２０３において、前記Ｒ、Ｇ、Ｂ、Ｗサブ画素初期補色割合に基づいて、前記ＷＯＬＥＤ表示装置を補色する。
【００５０】
このステップにおいて、上記のステップによって取得されたＲ、Ｇ、Ｂ、Ｗサブ画素初期補色割合を前記ＷＯＬＥＤ表示装置の実際表示過程に応用する。具体的に、前記Ｒ、Ｇ、Ｂ、Ｗサブ画素初期補色割合を利用して補色することは、前記表示装置のＷ出力輝度を確定し、前記表示装置のＷ出力輝度に前記Ｒ、Ｇ、Ｂ、Ｗサブ画素初期補色割合を乗算してＲ、Ｇ、Ｂ、Ｗサブ画素初期補色輝度を取得し、Ｒ、Ｇ、Ｂ、Ｗサブ画素出力輝度を前記Ｒ、Ｇ、Ｂ、Ｗサブ画素初期補色輝度に調整することを含む。
【００５１】
この実施例において、前記初期補色ステップを先に実行し、即ち、上記の補色方法によって、１つのＲ、Ｇ、Ｂ、Ｗサブ画素補色割合を先に確定してから、ＷＯＬＥＤ表示装置に応用する。このように、以降のステップ１０１〜ステップ１０４を実行する場合、正確な（「正確」は、補色されないＷＯＬＥＤ表示装置に対するものである）補色割合で行い、以降のステップにおいて、確定する前記目標出力輝度の数が少なくなり、以降の計算過程のデータ処理量も少なくなり、これによって、本願の補色方法の実行効率を向上させることができる。
【００５２】
同一の技術の思想に基づいて、本願実施例は、また、上記の任意の実施例が応用されるＷＯＬＥＤ表示装置の補色方法の表示装置を提供する。当該表示装置は、前記関連関係に基づいて前記ＷＯＬＥＤ表示装置を補色するように構成される補色モジュールを含む。本願の１つの実施例によって、補色モジュールは、対応する補色回路により構成されても良く、例えば、対応するハードウェア回路を利用して当該補色モジュールを実現し、以下、補色モジュールを詳しく説明する。
【００５３】
具体的に、前記補色モジュールは、ＷＯＬＥＤ表示装置のＴＣＯＮ（スクリーンドライバボード）の部品であっても良いし、別に構成された機能モジュールであっても良い。これに対応し、本願の実施例は、上記の補色モジュールを備える表示装置を提供し、他の実施例は、表示装置を補色する補色装置を提供し、前記補色装置は、表示装置のドライバと通信して補色信号を表示装置のドライバに出力する。なお、ＷＯＬＥＤ表示装置は、さらにＣｏｌｏｒ  Ｅｎｇｉｎｅ（色度プロセッサ）を含み、Ｒ、Ｇ、Ｂ、Ｗサブ画素の輝度及び色座標を計算し、上記の方法の実施例の初期補色ステップを実行し、結果情報（Ｒ、Ｇ、Ｂ、Ｗサブ画素初期補色割合）をＰＧ  Ｃｏｎｔｒｏｌｌｅｒ及びＴＣＯＮ  Ｃｏｎｔｒｏｌｌｅｒに出力する。ＰＧ  Ｃｏｎｔｒｏｌｌｅｒ（階調制御モジュール）は、Ｃｏｌｏｒ  ｅｎｇｉｎｅにより提供された結果情報に基づいて、Ｒ、Ｇ、Ｂの階調の値を出力する。ＴＣＯＮ  Ｃｏｎｔｒｏｌｌｅｒ（スクリーンドライバボード制御モジュール）は、Ｃｏｌｏｒ  ｅｎｇｉｎｅからの結果情報に基づいて、ＲＧＢ  ｔｏ  ＲＧＢＷの表示方式を決定する。
【００５４】
前記補色モジュールをＴＣＯＮの部品とする場合、前記関連関係がＴＣＯＮのＭｅｍｏｒｙ（記憶ユニット）に記憶され、ＴＣＯＮがＭｅｍｏｒｙ内の関連関係を読み取り、現在の表示装置の出力輝度に対応するＲ、Ｇ、Ｂ、Ｗサブ画素補色輝度を取得し、次に、ＰＧ  Ｃｏｎｔｒｏｌｌｅｒ及びＴＣＯＮ  Ｃｏｎｔｒｏｌｌｅｒと協働し、補色表示動作を行う。前記補色モジュールを別のモジュールとして動作する場合、前記補色モジュールが前記関連関係が記憶されるメモリを有し、ＴＣＯＮが前記補色モジュール内の関連関係を読み取り、現在の表示装置の出力輝度に対応するＲ、Ｇ、Ｂ、Ｗサブ画素補色輝度を取得し、次に、ＰＧ  Ｃｏｎｔｒｏｌｌｅｒ及びＴＣＯＮ  Ｃｏｎｔｒｏｌｌｅｒと協働し、補色表示動作を行う。また、前記補色モジュールを別のモジュールとして動作する場合、前記補色モジュールがプロセッサ及びコードメモリを有し、コードメモリに記憶されたコンピュータ可読コードが前記プロセッサに実行される場合、前記プロセッサが上記の実施例のＷＯＬＥＤ表示装置の補色方法を実行する。
【００５５】
これによって、上記の実施例におけるＷＯＬＥＤ表示装置の補色方法を利用することで、前記表示装置に対する補色の正確性が高くなり、表示効果が良くなる効果を実現する。
【００５６】
以上の実施例が例示的なものであり、本願の範囲（請求項を含む）がこれらの例に限定されず、本願の技術的思想に基づいて、上記の実施例又は異なる実施例の技術的特徴を組み合わせてもよく、ステップが任意の順番で実現されてもよく、本願の様々な変形も存在することは当業者とって理解され、ここで説明を省略する。
【００５７】
また、簡潔及び本願の理解が易くなるために、図面に集積回路（ＩＣ）チップ及び他の部品の電源／接地接続を示されなくても良い。なお、ブロック図で装置を示し、本願の理解を容易になり、また、これらのブロック図の装置の実施形態の詳細は、本願を実施するプラットフォームに依頼する（即ち、これらの詳細は当業者の理解の範囲内に入れる）。細かいこと（例えば、回路）を説明して本願の実施例を説明した場合、これらの詳細は、当業者とって明らかなものである。そして、これらの詳細は、例示的なものであり、限定されたものではない。
【００５８】
本願の実施例を参照し本願を説明したが、以上のように、これらの実施例の切替、変更、変形は、当業者とって明らかなものである。例えば、他のメモリ構成（例えば、動的ＲＡＭ（ＤＲＡＭ））でも実施例に応用される。
【００５９】
以上のように、本願のＷＯＬＥＤ表示装置の補色方法、ＷＯＬＥＤ表示装置は、ＷＯＬＥＤ表示装置を実際に使用して測定し、異なる出力量で現在の出力色座標を所定の色座標に調整し、少なくとも２つのセットの予定使用データを記録し、予定使用データに基づいて全体の補色輝度と出力輝度との関連関係を取得してからＷＯＬＥＤ表示装置を補色することで、補色の正確性を向上させ、表示効果を改善することができる。
【００６０】
本願の実施例は、請求項の範囲に入れる全ての切替、改良及び変形を含む。そして、本願の精神や原則において、如何なる省略、変更、切換え、改良等は、本願の範囲に入れる。
【図１】
2020532147.tif 000003
【図２】
2020532147.tif 000004
【国際調査報告】
2020532147.tif 000005
2020532147.tif 000006
2020532147.tif 000007
2020532147.tif 000008
2020532147.tif 000009
2020532147.tif 000010